(57)【要約】【課題】  ４色以上の色成分光を利用する場合に、色成分光の光路上に設けられた光学素子への熱負荷を効率的に抑制することを可能とする投写型映像表示装置を提供する。【解決手段】  投写型映像表示装置１００は、液晶パネル５０Ｒと、液晶パネル５０Ｇと、液晶パネル５０Ｂと、クロスダイクロイックプリズム６０と、偏光状態調整素子５１Ｙｅとを備える。緑成分光Ｇは、黄成分光Ｙｅとともに液晶パネル５０Ｇに入射する。投写型映像表示装置１００は、入射側偏光板５２Ｇ（又は入射側プリ偏光板５２ＧＰ）及び出射側偏光板５３Ｇに風を送る第１送風部３１０及び第２送風部３２０と、第１送風部３１０及び第２送風部３２０の冷却能力を制御する冷却能力制御部２４０とを備える。冷却能力制御部２４０は、入射側偏光板５２Ｇで遮光される黄成分光Ｙｅの光量に基づいて、第１送風部３１０及び第２送風部３２０の冷却能力を制御する。【選択図】  図４
2010175675.tif 000002
【特許請求の範囲】
【請求項１】
赤成分光を変調する赤光変調素子と、緑成分光を変調する緑光変調素子と、青成分光を変調する青光変調素子と、前記赤光変調素子、前記緑光変調素子及び前記青光変調素子から出射された光を合成する色合成部と、第４色成分光の偏光状態を調整する偏光状態調整素子とを備えており、前記赤成分光、前記緑成分光及び前記青成分光のうち、いずれかの色成分光である重畳成分光が、前記第４色成分光とともに前記偏光状態調整素子に入射する投写型映像表示装置であって、
前記偏光状態調整素子の光出射側に設けられた第１偏光板に風を送る第１送風部と、
前記重畳成分光に対応する特定光変調素子の光出射側に設けられた第２偏光板に風を送る第２送風部と、
前記第１送風部及び前記第２送風部の冷却能力を制御する制御部とを備え、
前記制御部は、前記第１偏光板で遮光される前記第４色成分光の光量に基づいて、前記第１送風部の冷却能力を制御することを特徴とする投写型映像表示装置。
【請求項２】
前記制御部は、前記第２偏光板で遮光される前記重畳成分光の光量に基づいて、前記第２送風部の冷却能力を制御することを特徴とする請求項１に記載の投写型映像表示装置。
【請求項３】
赤成分光を変調する赤光変調素子と、緑成分光を変調する緑光変調素子と、青成分光を変調する青光変調素子と、前記赤光変調素子、前記緑光変調素子及び前記青光変調素子から出射された光を合成する色合成部と、第４色成分光の偏光状態を調整する偏光状態調整素子とを備えており、前記赤成分光、前記緑成分光及び前記青成分光のうち、いずれかの色成分光である重畳成分光が、前記第４色成分光とともに前記偏光状態調整素子に入射する投写型映像表示装置であって、
前記偏光状態調整素子の光出射側に設けられた第１偏光板及び前記重畳成分光に対応する特定光変調素子の光出射側に設けられた第２偏光板に風を送る送風部と、
前記送風部の冷却能力を制御する制御部とを備え、
前記送風部は、前記送風部から送り出される風向を変える可動式ダンパーを有しており、
前記制御部は、前記第２偏光板で遮光される前記重畳成分光の光量に基づいて、前記可動式ダンパーの位置を制御することを特徴とする投写型映像表示装置。
【請求項４】
前記制御部は、前記第１偏光板で遮光される前記第４色成分光の光量に基づいて、前記可動式ダンパーの位置を制御することを特徴とする請求項３に記載の投写型映像表示装置。
【請求項５】
前記特定光変調素子は、前記重畳成分光を変調する光変調パネルであり、
前記第１偏光板は、前記光変調パネルの光入射側に設けられた入射側偏光板であり、
前記第２偏光板は、前記光変調パネルの光出射側に設けられた出射側偏光板であることを特徴とする請求項１又は請求項３に記載の投写型映像表示装置。
【発明の詳細な説明】
【技術分野】
【０００１】
本発明は、４色以上の色成分光を利用する投写型映像表示装置に関する。
【背景技術】
【０００２】
従来、３色の色成分光に対応する３つの光変調素子と、３つの光変調素子から出射される光を合成するクロスダイクロイックキューブと、クロスダイクロイックキューブで合成された光を投写する投写光学系とを有する投写型映像表示装置が知られている。
【０００３】
このような投写型映像表示装置では、色成分光の光路上に設けられた光学素子（例えば、偏光板）が色成分光の照射によって発熱する。従って、投写型映像表示装置は、光学素子を冷却する冷却部を有していることが一般的である。
【０００４】
一方で、色再現性や輝度の向上を目的として、４色以上の色成分光を利用する投写型映像表示装置が提案されている。例えば、投写型映像表示装置は、赤成分光、緑成分光及び青成分光に加えて、オレンジ成分光、黄成分光又はシアン成分光を利用することによって、色再現性や輝度の向上を図っている（例えば、特許文献）。
【先行技術文献】
【特許文献】
【０００５】
【特許文献１】特開２００２−２８７２４７号公報
【発明の概要】
【発明が解決しようとする課題】
【０００６】
ここで、４色以上の色成分光を利用しつつ、３つの光変調素子から光を出射する投写型映像表示装置では、色成分光の光路上に設けられた光学素子（例えば、偏光板）への熱負荷が増大する。従って、光学素子を冷却する新たな枠組みが必要になる。
【０００７】
そこで、本発明は、上述した課題を解決するためになされたものであり、４色以上の色成分光を利用する場合に、色成分光の光路上に設けられた光学素子への熱負荷を効率的に抑制することを可能とする投写型映像表示装置を提供することを目的とする。
【課題を解決するための手段】
【０００８】
第１の特徴に係る投写型映像表示装置は、赤成分光を変調する赤光変調素子（液晶パネル５０Ｒ）と、緑成分光を変調する緑光変調素子（液晶パネル５０Ｇ）と、青成分光を変調する青光変調素子（液晶パネル５０Ｂ）と、前記赤光変調素子、前記緑光変調素子及び前記青光変調素子から出射された光を合成する色合成部（クロスダイクロイックプリズム６０）と、第４色成分光の偏光状態を調整する偏光状態調整素子（偏光状態調整素子５１Ｙｅ）とを備える。前記赤成分光、前記緑成分光及び前記青成分光のうち、いずれかの色成分光である重畳成分光（例えば、緑成分光Ｇ）が、前記第４色成分光とともに前記偏光状態調整素子に入射する。投写型映像表示装置は、前記偏光状態調整素子の光出射側に設けられた第１偏光板（例えば、入射側偏光板５２Ｇ又は入射側プリ偏光板５２ＧＰ）に風を送る第１送風部（第１送風部３１０）と、前記重畳成分光に対応する特定光変調素子の光出射側に設けられた第２偏光板（例えば、出射側偏光板５３Ｇ）に風を送る第２送風部（第２送風部３２０）と、前記第１送風部及び前記第２送風部の冷却能力を制御する制御部（冷却能力制御部２４０）とを備える。前記制御部は、前記第１偏光板で遮光される前記第４色成分光の光量に基づいて、前記第１送風部の冷却能力を制御する。
【０００９】
第１の特徴において、前記制御部は、前記第２偏光板で遮光される前記重畳成分光の光量に基づいて、前記第２送風部の冷却能力を制御する。
【００１０】
第２の特徴に係る投写型映像表示装置は、赤成分光を変調する赤光変調素子（液晶パネル５０Ｒ）と、緑成分光を変調する緑光変調素子（液晶パネル５０Ｇ）と、青成分光を変調する青光変調素子（液晶パネル５０Ｂ）と、前記赤光変調素子、前記緑光変調素子及び前記青光変調素子から出射された光を合成する色合成部（クロスダイクロイックプリズム６０）と、第４色成分光の偏光状態を調整する偏光状態調整素子（偏光状態調整素子５１Ｙｅ）とを備える。前記赤成分光、前記緑成分光及び前記青成分光のうち、いずれかの色成分光である重畳成分光（例えば、緑成分光Ｇ）が、前記第４色成分光とともに前記偏光状態調整素子に入射する。投写型映像表示装置は、前記偏光状態調整素子の光出射側に設けられた第１偏光板（例えば、入射側偏光板５２Ｇ又は入射側プリ偏光板５２ＧＰ）及び前記重畳成分光に対応する特定光変調素子の光出射側に設けられた第２偏光板（例えば、出射側偏光板５３Ｇ）に風を送る送風部（送風部３００）と、前記送風部の冷却能力を制御する制御部（冷却能力制御部２４０）とを備える。前記送風部は、前記送風部から送り出される風向を変える可動式ダンパー（可動式ダンパー３０１）を有する。前記制御部は、前記第２偏光板で遮光される前記重畳成分光の光量に基づいて、前記可動式ダンパーの位置を制御する。
【００１１】
第２の特徴において、前記制御部は、前記第１偏光板で遮光される前記第４色成分光の光量に基づいて、前記可動式ダンパーの位置を制御する。
【００１２】
第１の特徴及び第２の特徴において、前記特定光変調素子は、前記重畳成分光を変調する光変調パネルである。前記第１偏光板は、前記光変調パネルの光入射側に設けられた入射側偏光板である。前記第２偏光板は、前記光変調パネルの光出射側に設けられた出射側偏光板である。
【発明の効果】
【００１３】
本発明によれば、４色以上の色成分光を利用する場合に、色成分光の光路上に設けられた光学素子への熱負荷を効率的に抑制することを可能とする投写型映像表示装置を提供することができる。
【図面の簡単な説明】
【００１４】
【図１】第１実施形態に係る投写型映像表示装置１００を示す図である。
【図２】第１実施形態に係る偏光状態調整素子５１Ｙｅの近傍を示す図である。
【図３】第１実施形態に係る偏光状態調整素子５１Ｙｅの近傍を示す図である。
【図４】第１実施形態に係る送風部の構成を示す図である。
【図５】第１実施形態に係る送風部の構成を示す図である。
【図６】第１実施形態に係る制御ユニット２００を示すブロック図である。
【図７】第１実施形態に係る送風部の制御を説明するための図である。
【図８】第１実施形態に係る送風部の制御を説明するための図である。
【図９】変更例１に係る送風部の構成を示す図である。
【図１０】変更例１に係る送風部の構成を示す図である。
【図１１】変更例１に係る送風部の制御を説明するための図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、赤成分光を変調する赤光変調素子と、緑成分光を変調する緑光変調素子と、青成分光を変調する青光変調素子と、赤光変調素子、緑光変調素子及び青光変調素子から出射された光を合成する色合成部と、第４色成分光の偏光状態を調整する偏光状態調整素子とを備える。赤成分光、緑成分光及び青成分光のうち、いずれかの色成分光である重畳成分光が、第４色成分光とともに偏光状態調整素子に入射する。投写型映像表示装置は、偏光状態調整素子の光出射側に設けられた第１偏光板（例えば、入射側偏光板５２Ｇ又は入射側プリ偏光板５２ＧＰ）及び重畳成分光に対応する特定光変調素子の光出射側に設けられた第２偏光板（例えば、出射側偏光板５３Ｇ）に風を送る送風部（送風部３００、又は、第１送風部３１０及び第２送風部３２０）と、送風部の冷却能力を制御する制御部（冷却能力制御部２４０）とを備える。制御部は、第１偏光板で遮光される第４色成分光の光量に基づいて、送風部の冷却能力を制御する。
【００１８】
実施形態によれば、制御部は、第１偏光板で遮光される第４色成分光の光量に基づいて、第１偏光板及び第２偏光板に風を送る送風部の冷却能力を制御する。
【００１９】
従って、偏光状態調整素子の光出射側に設けられた第１偏光板に対して、重畳成分光に加えて第４色成分光が入射しても、第１偏光板の劣化を抑制することができる。
【００２０】
すなわち、４色以上の色成分光を利用する場合であっても、色成分光の光路上に設けられた光学素子（例えば、第１偏光板）への熱負荷を効率的に抑制することができる。
【００２１】
実施形態では、第４色成分光として黄成分光を例示するが、第４色成分光は、これに限定されるものではない。第４色成分光は、マゼンタ成分光又はシアン成分光であってもよい。
【００２２】
実施形態では、重畳成分光として緑成分光を例示するが、重畳成分光は、これに限定されるものではない。重畳成分光は、赤成分光又は青成分光であってもよい。
【００２３】
［実施形態の構成］
以下においては、（１）第１実施形態、（２）変更例１の順に、実施形態を説明する。
【００２４】
（１）第１実施形態については、図１〜図８を参照しながら、（ａ）投写型映像表示装置の構成、（ｂ）偏光状態調整素子の構成、（ｃ）送風部の構成、（ｄ）投写型映像表示装置の機能、（ｅ）作用及び効果の順に説明する。
【００２５】
（２）変更例１については、図９〜図１１を参照しながら、（ａ）送風部の構成、（ｂ）作用及び効果の順に説明する。
【００２６】
［第１実施形態］
（投写型映像表示装置の構成）
以下において、第１実施形態に係る投写型映像表示装置について、図面を参照しながら説明する。図１は、第１実施形態に係る投写型映像表示装置１００の構成を示す図である。
【００２７】
図１に示すように、投写型映像表示装置１００は、投写光学系１１０と、照明装置１２０とを有する。投写型映像表示装置１００は、後述するように、赤成分光Ｒ、緑成分光Ｇ及び青成分光Ｂに加えて、黄成分光Ｙｅを利用する。
【００２８】
投写光学系１１０は、照明装置１２０から出射された映像光をスクリーン（不図示）上などに投写する。
【００２９】
第１に、照明装置１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、偏光状態調整素子５１Ｙｅと、クロスダイクロイックプリズム６０とを有する。
【００３０】
光源１０は、白色光を発する光源（例えば、ＵＨＰランプやキセノンランプ）などである。すなわち、光源１０が発する光は、赤成分光Ｒ、緑成分光Ｇ及び青成分光Ｂに加えて、黄成分光Ｙｅを含む。
【００３１】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を反射する。
【００３２】
フライアイレンズユニット３０は、光源１０が発する光を均一化する。具体的には、フライアイレンズユニット３０は、フライアイレンズ３１及びフライアイレンズ３２によって構成される。フライアイレンズ３１及びフライアイレンズ３２は、それぞれ、複数の微少レンズによって構成される。各微少レンズは、光源１０が発する光が液晶パネル５０の全面に照射されるように、光源１０が発する光を集光する。
【００３３】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３４】
液晶パネル５０Ｒは、赤映像信号（後述する赤出力信号Ｒｏｕｔ）に基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００３５】
液晶パネル５０Ｇは、緑映像信号（後述する緑出力信号Ｇｏｕｔ）に基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００３６】
液晶パネル５０Ｂは、青映像信号（後述する青出力信号Ｂｏｕｔ）に基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３７】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００３８】
偏光状態調整素子５１Ｙｅには、黄成分光Ｙｅとともに緑成分光Ｇが入射する。緑成分光Ｇは、赤成分光Ｒ、緑成分光Ｇ及び青成分光Ｂのうち、黄成分光Ｙｅの補色光（青成分光Ｂ）とは異なる重畳成分光である。すなわち、偏光状態調整素子５１Ｙｅは、緑成分光Ｇの光路上に設けられる。
【００３９】
偏光状態調整素子５１Ｙｅは、重畳成分光（ここでは、緑成分光Ｇ）の偏光状態を調整せずに、黄成分光Ｙｅの偏光状態を調整する。具体的には、偏光状態調整素子５１Ｙｅは、自素子に印加される電圧に応じて、黄成分光Ｙｅの偏光状態を調整する。
【００４０】
例えば、偏光状態調整素子５１Ｙｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１Ｙｅは、０〜９０°の範囲内において、黄成分光Ｙｅの偏光状態を調整する光学素子である。
【００４１】
ここで、偏光状態調整素子５１Ｙｅは、単一の画素を有しており、黄成分光Ｙｅの重畳量をフレームで一律に制御してもよい。また、偏光状態調整素子５１Ｙｅは、複数の画素を有しており、黄成分光Ｙｅの重畳量を画素毎に制御してもよい。なお、偏光状態調整素子５１Ｙｅの画素数は、液晶パネル５０の画素数よりも少ないことが好ましい。
【００４２】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写光学系１１０に導かれる。
【００４３】
第２に、照明装置１２０は、ミラー群（ミラー７１〜ミラー７６）及びレンズ群（レンズ８１〜レンズ８５）を有する。
【００４４】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００４５】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００４６】
レンズ８１は、ＰＢＳアレイ４０から出射された光を集光するコンデンサレンズである。レンズ８２は、ミラー７３で反射された光を集光するコンデンサレンズである。
【００４７】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００４８】
レンズ８４及びレンズ８５は、赤成分光Ｒの拡大を抑制しながら、液晶パネル５０Ｒ上に赤成分光Ｒを略結像するリレーレンズである。
【００４９】
（偏光状態調整素子の構成）
以下において、第１実施形態に係る偏光状態調整素子の構成について、図面を参照しながら説明する。図２及び図３は、第１実施形態に係る偏光状態調整素子５１Ｙｅの近傍を示す図である。
【００５０】
図２に示すように、偏光状態調整素子５１Ｙｅは、Ｙｅ−ＯＮ状態において、黄成分光Ｙｅの偏光状態を調整せずに透過する。すなわち、偏光状態調整素子５１Ｙｅの光出射側において、黄成分光Ｙｅの偏光状態は、緑成分光Ｇの偏光状態と同じである。Ｙｅ−ＯＮ状態は、黄成分光Ｙｅを利用する状態である。
【００５１】
図３に示すように、偏光状態調整素子５１Ｙｅは、Ｙｅ−ＯＦＦ状態において、黄成分光Ｙｅの偏光状態を調整して透過する。すなわち、偏光状態調整素子５１Ｙｅの光出射側において、黄成分光Ｙｅの偏光状態は、緑成分光Ｇの偏光状態と異なっている。Ｙｅ−ＯＦＦ状態は、黄成分光Ｙｅを利用しない状態である。なお、Ｙｅ−ＯＦＦ状態では、液晶パネル５０Ｇの光入射側に設けられた入射側偏光板５２Ｇによって黄成分光Ｙｅが遮光される。
【００５２】
（送風部の構成）
以下において、第１実施形態に係る送風部の構成について、図面を参照しながら説明する。図４及び図５は、第１実施形態に係る送風部（第１送風部３１０及び第２送風部３２０）の一例を示す図である。また、図４及び図５は、ミラー７１、偏光状態調整素子５１Ｙｅ、液晶パネル５０Ｇ及びクロスダイクロイックプリズム６０の周辺を示す図である。なお、上述した図１では、第１送風部３１０及び第２送風部３２０が省略されているに過ぎないことに留意すべきである。
【００５３】
第１に、図４を参照しながら、第１送風部３１０及び第２送風部３２０の第１構成について説明する。
【００５４】
図４に示すように、液晶パネル５０Ｇの光入射側、すなわち、偏光状態調整素子５１Ｙｅの光出射側には、入射側偏光板５２Ｇが設けられている。一方で、液晶パネル５０Ｇの光出射側には、出射側偏光板５３Ｇが設けられている。
【００５５】
ここで、第１送風部３１０は、液晶パネル５０Ｇの光入射側、すなわち、偏光状態調整素子５１Ｙｅの光出射側に設けられた入射側偏光板５２Ｇに風を送る第１送風部である。
【００５６】
第１送風部３１０の冷却能力は、後述するように、入射側偏光板５２Ｇで遮光される黄成分光Ｙｅの光量に基づいて制御される。すなわち、第１送風部３１０の冷却能力は、黄出力信号Ｙｅｏｕｔに基づいて制御される。
【００５７】
なお、入射側偏光板５２Ｇで黄成分光Ｙｅを遮光することによって生じる熱が偏光状態調整素子５１Ｙｅに伝達するため、第１送風部３１０は、偏光状態調整素子５１Ｙｅ及び入射側偏光板５２Ｇに風を送る。すなわち、第１送風部３１０は、偏光状態調整素子５１Ｙｅ及び入射側偏光板５２Ｇを冷却する。
【００５８】
第２送風部３２０は、重畳成分光（ここでは、緑成分光Ｇ）に対応する特定光変調素子（ここでは、液晶パネル５０Ｇ）の光出射側に設けられた出射側偏光板５３Ｇに風を送る第２送風部である。
【００５９】
第２送風部３２０の冷却能力は、後述するように、出射側偏光板５３Ｇで遮光される緑成分光Ｇに基づいて制御される。すなわち、第２送風部３２０の冷却能力は、緑出力信号Ｇｏｕｔに基づいて制御される。
【００６０】
なお、出射側偏光板５３Ｇで緑成分光Ｇ（及び、黄成分光Ｙｅ）を遮光することによって生じる熱が液晶パネル５０Ｇに伝達するため、第２送風部３２０は、液晶パネル５０Ｇ及び出射側偏光板５３Ｇに風を送る。すなわち、第２送風部３２０は、液晶パネル５０Ｇ及び出射側偏光板５３Ｇを冷却する。
【００６１】
第２に、図５を参照しながら、第１送風部３１０及び第２送風部３２０の第２構成について説明する。
【００６２】
図５に示すように、液晶パネル５０Ｇの光入射側には、入射側偏光板５２Ｇが設けられている。入射側偏光板５２Ｇの光入射側には、すなわち、偏光状態調整素子５１Ｙｅの光出射側には、入射側プリ偏光板５２ＧＰが設けられている。一方で、液晶パネル５０Ｇの光出射側には、出射側偏光板５３Ｇが設けられている。
【００６３】
ここで、第１送風部３１０は、偏光状態調整素子５１Ｙｅの光出射側に設けられた入射側プリ偏光板５２ＧＰに風を送る第１送風部である。
【００６４】
第１送風部３１０の冷却能力は、第１構成と同様に、入射側プリ偏光板５２ＧＰで遮光される黄成分光Ｙｅの光量に基づいて制御される。すなわち、第１送風部３１０の冷却能力は、黄出力信号Ｙｅｏｕｔに基づいて制御される。
【００６５】
なお、入射側プリ偏光板５２ＧＰで黄成分光Ｙｅを遮光することによって生じる熱が偏光状態調整素子５１Ｙｅに伝達するため、第１送風部３１０は、偏光状態調整素子５１Ｙｅ及び入射側偏光板５２Ｇに風を送る。すなわち、第１送風部３１０は、偏光状態調整素子５１Ｙｅ及び入射側プリ偏光板５２ＧＰを冷却する。
【００６６】
第２送風部３２０は、重畳成分光（ここでは、緑成分光Ｇ）に対応する特定光変調素子（ここでは、液晶パネル５０Ｇ）の光出射側に設けられた出射側偏光板５３Ｇに風を送る第２送風部である。
【００６７】
第２送風部３２０の冷却能力は、第１構成と同様に、出射側偏光板５３Ｇで遮光される緑成分光Ｇに基づいて制御される。すなわち、第２送風部３２０の冷却能力は、緑出力信号Ｇｏｕｔに基づいて制御される。
【００６８】
なお、出射側偏光板５３Ｇで緑成分光Ｇ（及び、黄成分光Ｙｅ）を遮光することによって生じる熱が液晶パネル５０Ｇに伝達するため、第２送風部３２０は、液晶パネル５０Ｇ及び出射側偏光板５３Ｇに風を送る。すなわち、第２送風部３２０は、液晶パネル５０Ｇ及び出射側偏光板５３Ｇを冷却する。
【００６９】
図５では、入射側偏光板５２Ｇの光入射側に入射側プリ偏光板５２ＧＰが設けられているため、入射側偏光板５２Ｇを冷却する必要性が低いことに留意すべきである。
【００７０】
（投写型映像表示装置の機能）
以下において、第１実施形態に係る投写型映像表示装置の機能について、図面を参照しながら説明する。図６は、第１実施形態に係る投写型映像表示装置１００に設けられた制御ユニット２００を示すブロック図である。
【００７１】
ここで、制御ユニット２００は、映像入力信号を映像出力信号に変換して、映像出力信号を出力する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００７２】
図６に示すように、制御ユニット２００は、映像信号受付部２１０と、Ｙｅ重畳量算出部２２０と、ＲＧＢ補正部２３０と、冷却能力制御部２４０とを有する。
【００７３】
映像信号受付部２１０は、ＤＶＤやＴＶチューナなどの外部装置から映像入力信号を受付ける。
【００７４】
Ｙｅ重畳量算出部２２０は、映像入力信号（赤入力信号Ｒｉｎ、緑入力信号Ｇｉｎ及び青入力信号Ｂｉｎ）に基づいて、黄成分光Ｙｅの重畳量を算出する。Ｙｅ重畳量算出部２２０は、黄成分光Ｙｅの偏光状態を調整するために、黄成分光Ｙｅの重畳量に対応する信号（黄出力信号Ｙｅｏｕｔ）を偏光状態調整素子５１Ｙｅに出力する。
【００７５】
例えば、Ｙｅ重畳量算出部２２０は、複数の画素によって構成されるフレームの彩度及び輝度に基づいて、黄成分光Ｙｅの重畳量を算出する。例えば、Ｙｅ重畳量算出部２２０は、フレームの彩度が低いほど、黄成分光Ｙｅの重畳量を増大する。また、Ｙｅ重畳量算出部２２０は、フレームの輝度が高いほど、黄成分光Ｙｅの重畳量を増大する。
【００７６】
ＲＧＢ補正部２３０は、映像入力信号（赤入力信号Ｒｉｎ、緑入力信号Ｇｉｎ及び青入力信号Ｂｉｎ）に基づいて、映像出力信号（赤出力信号Ｒｏｕｔ、緑出力信号Ｇｏｕｔ及び青出力信号Ｂｏｕｔ）を算出する。具体的には、ＲＧＢ補正部２３０は、黄出力信号Ｙｅｏｕｔに基づいて、赤出力信号Ｒｏｕｔ、緑出力信号Ｇｏｕｔ及び青出力信号Ｂｏｕｔを補正する。
【００７７】
例えば、ＲＧＢ補正部２３０は、黄出力信号Ｙｅｏｕｔに基づいて、赤入力信号Ｒｉｎ及び緑入力信号Ｇｉｎから所定値を減算して、赤出力信号Ｒｏｕｔ及び緑出力信号Ｇｏｕｔを算出する。又は、ＲＧＢ補正部２３０は、黄出力信号Ｙｅｏｕｔに基づいて、青入力信号Ｂｉｎに所定値を加算して、青出力信号Ｂｏｕｔを算出する。赤入力信号Ｒｉｎ及び緑入力信号Ｇｉｎの減算処理や青入力信号Ｂｉｎの加算処理によって、黄成分光Ｙｅの重畳に伴って生じる“色ずれ”を抑制する。
【００７８】
冷却能力制御部２４０は、第１送風部３１０の冷却能力及び第２送風部３２０の冷却能力を制御する。ここでは、図４に示した第１構成を例に挙げて説明するが、図５に示した第２構成にも適用できることは勿論である。
【００７９】
第１に、冷却能力制御部２４０は、入射側偏光板５２Ｇで遮光される黄成分光Ｙｅの光量に基づいて、第１送風部３１０の冷却能力を制御する。言い換えると、冷却能力制御部２４０は、黄成分光Ｙｅの重畳量（すなわち、黄出力信号Ｙｅｏｕｔ）に基づいて、第１送風部３１０の冷却能力を制御する。なお、黄成分光Ｙｅの重畳量（すなわち、黄出力信号Ｙｅｏｕｔ）が小さいほど、入射側偏光板５２Ｇで遮光される黄成分光Ｙｅの光量が多いことに留意すべきである。
【００８０】
例えば、冷却能力制御部２４０は、図７に示す関係で、第１送風部３１０の冷却能力を制御する。すなわち、冷却能力制御部２４０は、黄出力信号Ｙｅｏｕｔが小さいほど、第１送風部３１０の冷却能力を強める。なお、冷却能力制御部２４０は、黄出力信号Ｙｅｏｕｔが閾値Ｔｈ１よりも大きい場合には、第１送風部３１０の冷却能力を一定に保ってもよい。
【００８１】
第２に、冷却能力制御部２４０は、出射側偏光板５３Ｇで遮光される緑成分光Ｇに基づいて、第２送風部３２０の冷却能力を制御する。言い換えると、冷却能力制御部２４０は、緑出力信号Ｇｏｕｔに基づいて、第２送風部３２０の冷却能力を制御する。なお、緑出力信号Ｇｏｕｔが小さいほど、出射側偏光板５３Ｇで遮光される緑成分光Ｇの光量が多いことに留意すべきである。また、緑出力信号Ｇｏｕｔが小さい場合には、緑成分光Ｇに重畳された黄成分光Ｙｅも出射側偏光板５３Ｇで遮光されることに留意すべきである。
【００８２】
例えば、冷却能力制御部２４０は、図８に示す関係で、第２送風部３２０の冷却能力を制御する。すなわち、冷却能力制御部２４０は、緑出力信号Ｇｏｕｔが小さいほど、第２送風部３２０の冷却能力を強める。なお、冷却能力制御部２４０は、緑出力信号Ｇｏｕｔが閾値Ｔｈ２よりも大きい場合には、第１送風部３１０の冷却能力を一定に保ってもよい。
【００８３】
（作用及び効果）
第１実施形態では、冷却能力制御部２４０は、入射側偏光板５２Ｇ（又は、入射側プリ偏光板５２ＧＰ）で遮光される黄成分光Ｙｅの光量（すなわち、黄出力信号Ｙｅｏｕｔ）に基づいて、入射側偏光板５２Ｇ（又は、入射側プリ偏光板５２ＧＰ）に風を送る第１送風部３１０の冷却能力を制御する。
【００８４】
具体的には、冷却能力制御部２４０は、入射側偏光板５２Ｇ（又は、入射側プリ偏光板５２ＧＰ）で遮光される黄成分光Ｙｅの光量が多いほど、すなわち、黄出力信号Ｙｅｏｕｔが小さいほど、第１送風部３１０の冷却能力を強くする。また、冷却能力制御部２４０は、入射側偏光板５２Ｇ（又は、入射側プリ偏光板５２ＧＰ）で遮光される黄成分光Ｙｅの光量が少ないほど、すなわち、黄出力信号Ｙｅｏｕｔが大きいほど、第１送風部３１０の冷却能力を弱くする。
【００８５】
従って、偏光状態調整素子５１Ｙｅの光出射側に設けられた入射側偏光板５２Ｇ（又は、入射側プリ偏光板５２ＧＰ）に対して、重畳成分光（ここでは、緑成分光Ｇ）に加えて黄成分光Ｙｅが入射しても、入射側偏光板５２Ｇの劣化を抑制することができる。同時に、省電力化を図ることができる。
【００８６】
第１実施形態では、冷却能力制御部２４０は、出射側偏光板５３Ｇで遮光される緑成分光Ｇの光量（すなわち、緑出力信号Ｇｏｕｔ）に基づいて、出射側偏光板５３Ｇに風を送る第２送風部３２０の冷却能力を制御する。
【００８７】
具体的には、冷却能力制御部２４０は、出射側偏光板５３Ｇで遮光される緑成分光Ｇの光量が多いほど、すなわち、緑出力信号Ｇｏｕｔが小さいほど、第２送風部３２０の冷却能力を強くする。また、冷却能力制御部２４０は、で遮光される緑成分光Ｇの光量が少ないほど、すなわち、緑出力信号Ｇｏｕｔが大きいほど、第２送風部３２０の冷却能力を弱くする。
【００８８】
従って、液晶パネル５０Ｇの光出射側に設けられた出射側偏光板５３Ｇの劣化を抑制することができる。同時に、省電力化を図ることができる。
【００８９】
このように、赤成分光Ｒ、緑成分光Ｇ及び青成分光Ｂに加えて、黄成分光Ｙｅを利用する場合であっても、液晶パネル５０Ｇ、入射側偏光板５２Ｇ（又は、入射側プリ偏光板５２ＧＰ）及び出射側偏光板５３Ｇの劣化を効率的に抑制することができる。
【００９０】
［変更例１］
以下において、第１実施形態の変更例１について、図面を参照しながら説明する。以下においては、第１実施形態との相違点について主として説明する。
【００９１】
具体的には、第１実施形態では、送風部として、複数の送風部（第１送風部３１０及び第２送風部３２０）が設けられている。これに対して、変更例１では、送風部として、単数の送風部が設けられている。
【００９２】
（送風部の構成）
以下において、変更例１に係る送風部の構成について、図面を参照しながら説明する。図９及び図１０は、変更例１に係る送風部３００の一例を示す図である。また、図９及び図１０は、ミラー７１、偏光状態調整素子５１Ｙｅ、液晶パネル５０Ｇ及びクロスダイクロイックプリズム６０の周辺を示す図である。
【００９３】
第１に、図９を参照しながら、送風部３００の第１構成について説明する。
【００９４】
図９に示すように、液晶パネル５０Ｇの光入射側、すなわち、偏光状態調整素子５１Ｙｅの光出射側には、入射側偏光板５２Ｇが設けられている。一方で、液晶パネル５０Ｇの光出射側には、出射側偏光板５３Ｇが設けられている。
【００９５】
ここで、送風部３００は、送風部３００から送り出される風向を変える可動式ダンパー３０１を有する。
【００９６】
送風部３００から送り出される風は、可動式ダンパー３０１の位置が位置Ｘである場合に、液晶パネル５０Ｇの光入射側、すなわち、偏光状態調整素子５１Ｙｅの光出射側に設けられた入射側偏光板５２Ｇに送られる。
【００９７】
送風部３００から送り出される風は、可動式ダンパー３０１の位置が位置Ｙである場合に、重畳成分光（ここでは、緑成分光Ｇ）に対応する特定光変調素子（ここでは、液晶パネル５０Ｇ）の光出射側に設けられた出射側偏光板５３Ｇに送られる。
【００９８】
可動式ダンパー３０１の位置は、入射側偏光板５２Ｇで遮光される黄成分光Ｙｅの光量に基づいて制御される。言い換えると、可動式ダンパー３０１の位置は、黄成分光Ｙｅの重畳量（黄出力信号Ｙｅｏｕｔ）に基づいて制御される。具体的には、可動式ダンパー３０１の位置は、入射側偏光板５２Ｇで遮光される黄成分光Ｙｅの光量に基づいて、位置Ｘと位置Ｙとの間で制御される。
【００９９】
なお、可動式ダンパー３０１の位置が位置Ｘである場合には、送風部３００から送り出される風は、出射側偏光板５３Ｇよりも入射側偏光板５２Ｇに導かれる。また、入射側偏光板５２Ｇに導かれる風速が高まるため、入射側偏光板５２Ｇを冷却する能力が高まる。
【０１００】
可動式ダンパー３０１の位置が位置Ｙである場合には、送風部３００から送り出される風は、入射側偏光板５２Ｇよりも出射側偏光板５３Ｇに導かれる。また、出射側偏光板５３Ｇに導かれる風速が高まるため、出射側偏光板５３Ｇを冷却する能力が高まる。
【０１０１】
第２に、図１０を参照しながら、第１送風部３１０及び第２送風部３２０の第２構成について説明する。
【０１０２】
図１０に示すように、液晶パネル５０Ｇの光入射側には、入射側偏光板５２Ｇが設けられている。入射側偏光板５２Ｇの光入射側には、すなわち、偏光状態調整素子５１Ｙｅの光出射側には、入射側プリ偏光板５２ＧＰが設けられている。一方で、液晶パネル５０Ｇの光出射側には、出射側偏光板５３Ｇが設けられている。
【０１０３】
ここで、送風部３００は、第１構成と同様に、送風部３００から送り出される風向を変える可動式ダンパー３０１を有する。
【０１０４】
送風部３００から送り出される風は、可動式ダンパー３０１の位置が位置Ｘである場合に、偏光状態調整素子５１Ｙｅの光出射側に設けられた入射側プリ偏光板５２ＧＰに送られる。
【０１０５】
送風部３００から送り出される風は、可動式ダンパー３０１の位置が位置Ｙである場合に、重畳成分光（ここでは、緑成分光Ｇ）に対応する特定光変調素子（ここでは、液晶パネル５０Ｇ）の光出射側に設けられた出射側偏光板５３Ｇに送られる。
【０１０６】
可動式ダンパー３０１の位置は、第１構成と同様に、入射側プリ偏光板５２ＧＰで遮光される黄成分光Ｙｅの光量に基づいて制御される。言い換えると、可動式ダンパー３０１の位置は、黄成分光Ｙｅの重畳量（黄出力信号Ｙｅｏｕｔ）に基づいて制御される。具体的には、可動式ダンパー３０１の位置は、入射側プリ偏光板５２ＧＰで遮光される黄成分光Ｙｅの光量に基づいて、位置Ｘと位置Ｙとの間で制御される。
【０１０７】
なお、可動式ダンパー３０１の位置が位置Ｘである場合には、送風部３００から送り出される風は、出射側偏光板５３Ｇよりも入射側プリ偏光板５２ＧＰに導かれる。また、入射側プリ偏光板５２ＧＰに導かれる風速が高まるため、入射側プリ偏光板５２ＧＰを冷却する能力が高まる。
【０１０８】
可動式ダンパー３０１の位置が位置Ｙである場合には、送風部３００から送り出される風は、入射側プリ偏光板５２ＧＰよりも出射側偏光板５３Ｇに導かれる。また、出射側偏光板５３Ｇに導かれる風速が高まるため、出射側偏光板５３Ｇを冷却する能力が高まる。
【０１０９】
（投写型映像表示装置の機能）
以下において、変更例１に係る投写型映像表示装置の機能について説明する。変更例１に係る制御ユニット２００の構成は、図６に示す構成と同様であることに留意すべきである。
【０１１０】
冷却能力制御部２４０は、可動式ダンパー３０１の位置を制御する。ここでは、図９に示した第１構成について例に挙げて説明するが、図１０に示した第２構成にも適用可能であることは勿論である。
【０１１１】
具体的には、冷却能力制御部２４０は、入射側偏光板５２Ｇで遮光される黄成分光Ｙｅの光量に基づいて、可動式ダンパー３０１の位置を制御する。言い換えると、冷却能力制御部２４０は、黄成分光Ｙｅの重畳量（黄出力信号Ｙｅｏｕｔ）に基づいて、可動式ダンパー３０１の位置を制御する。
【０１１２】
例えば、可動式ダンパー３０１の位置制御において、冷却能力制御部２４０は、図１１に示す情報を参照する。図１１では、ケース（１）〜ケース（４）が示されている。
【０１１３】
ケース（１）は、緑出力信号Ｇｏｕｔが大きく、黄出力信号Ｙｅｏｕｔが大きいケースである。このようなケースでは、入射側偏光板５２Ｇで遮光される黄成分光Ｙｅの光量（遮光量）が少なく、出射側偏光板５３Ｇの熱負荷は、ケース（１）〜ケース（４）の中で、３番目に大きい。
【０１１４】
具体的には、黄出力信号Ｙｅｏｕｔが大きいため、黄成分光Ｙｅの重畳量が多い。従って、入射側偏光板５２Ｇで遮光される黄成分光Ｙｅの光量が少ない。
【０１１５】
一方で、出射側偏光板５３Ｇには、緑成分光Ｇに加えて、多量の黄成分光Ｙｅが入射する。しかしながら、緑出力信号Ｇｏｕｔが大きいため、緑成分光Ｇ及び多量の黄成分光Ｙｅが出射側偏光板５３Ｇを透過する。従って、出射側偏光板５３Ｇの熱負荷は３番目である。
【０１１６】
ケース（２）は、緑出力信号Ｇｏｕｔが大きく、黄出力信号Ｙｅｏｕｔが小さいケースである。このようなケースでは、入射側偏光板５２Ｇで遮光される黄成分光Ｙｅの光量（遮光量）が多く、出射側偏光板５３Ｇの熱負荷は、ケース（１）〜ケース（４）の中で、最も小さい。
【０１１７】
具体的には、黄出力信号Ｙｅｏｕｔが小さいため、黄成分光Ｙｅの重畳量が少ない。従って、入射側偏光板５２Ｇで遮光される黄成分光Ｙｅの光量が多い。
【０１１８】
一方で、出射側偏光板５３Ｇには、緑成分光Ｇに加えて、少量の黄成分光Ｙｅが入射する。また、緑出力信号Ｇｏｕｔが大きいため、緑成分光Ｇ及び少量の黄成分光Ｙｅが出射側偏光板５３Ｇを透過する。従って、出射側偏光板５３Ｇの熱負荷は最も小さい。
【０１１９】
ケース（３）は、緑出力信号Ｇｏｕｔが小さく、黄出力信号Ｙｅｏｕｔが大きいケースである。このようなケースでは、入射側偏光板５２Ｇで遮光される黄成分光Ｙｅの光量（遮光量）が少なく、出射側偏光板５３Ｇの熱負荷は、ケース（１）〜ケース（４）の中で、最も大きい。
【０１２０】
具体的には、黄出力信号Ｙｅｏｕｔが大きいため、黄成分光Ｙｅの重畳量が多い。従って、入射側偏光板５２Ｇで遮光される黄成分光Ｙｅの光量が少ない。
【０１２１】
一方で、出射側偏光板５３Ｇには、緑成分光Ｇに加えて、多量の黄成分光Ｙｅが入射する。また、緑出力信号Ｇｏｕｔが小さいため、緑成分光Ｇ及び多量の黄成分光Ｙｅが出射側偏光板５３Ｇで遮光される。従って、出射側偏光板５３Ｇの熱負荷は最も大きい。
【０１２２】
ケース（４）は、緑出力信号Ｇｏｕｔが小さく、黄出力信号Ｙｅｏｕｔが小さいケースである。このようなケースでは、入射側偏光板５２Ｇで遮光される黄成分光Ｙｅの光量（遮光量）が多く、出射側偏光板５３Ｇの熱負荷は、ケース（１）〜ケース（４）の中で、２番目に大きい。
【０１２３】
具体的には、黄出力信号Ｙｅｏｕｔが小さいため、黄成分光Ｙｅの重畳量が少ない。従って、入射側偏光板５２Ｇで遮光される黄成分光Ｙｅの光量が多い。
【０１２４】
一方で、出射側偏光板５３Ｇには、緑成分光Ｇに加えて、少量の黄成分光Ｙｅが入射する。しかしながら、緑出力信号Ｇｏｕｔが小さいため、緑成分光Ｇ及び少量の黄成分光Ｙｅが出射側偏光板５３Ｇで遮光される。従って、出射側偏光板５３Ｇの熱負荷は２番目に大きい。
【０１２５】
冷却能力制御部２４０は、ケース（３）において、送風部３００から送り出される風が最も出射側偏光板５３Ｇに導かれるように、可動式ダンパー３０１を制御する（ダンパー制御モード＝モードＡ）。
【０１２６】
冷却能力制御部２４０は、ケース（４）において、送風部３００から送り出される風がケース（３）よりも入射側偏光板５２Ｇに導かれるように、可動式ダンパー３０１を制御する（ダンパー制御モード＝モードＢ）。
【０１２７】
冷却能力制御部２４０は、ケース（１）において、送風部３００から送り出される風がケース（４）よりも入射側偏光板５２Ｇに導かれるように、可動式ダンパー３０１を制御する（ダンパー制御モード＝モードＣ）。
【０１２８】
冷却能力制御部２４０は、ケース（２）において、送風部３００から送り出される風が最も入射側偏光板５２Ｇに導かれるように、可動式ダンパー３０１を制御する（ダンパー制御モード＝モードＤ）。
【０１２９】
このように、冷却能力制御部２４０は、黄出力信号Ｙｅｏｕｔに加えて、緑出力信号Ｇｏｕｔに基づいて、可動式ダンパー３０１を制御することが好ましい。具体的には、冷却能力制御部２４０は、出射側偏光板５３Ｇの熱負荷に基づいて、可動式ダンパー３０１を制御することが好ましい。
【０１３０】
なお、出射側偏光板５３Ｇの熱負荷が最も大きいケース（３）では、出射側偏光板５３Ｇで遮光される黄成分光Ｙｅの光量を減少するために、黄成分光Ｙｅの重畳量が減少するように黄出力信号Ｙｅｏｕｔを補正することが好ましい。これによって、黄成分光Ｙｅの一部が入射側偏光板５２Ｇで遮光されるため、出射側偏光板５３Ｇの熱負荷が軽減される。
【０１３１】
なお、ケース（３）では、最終的には、黄成分光Ｙｅは、出射側偏光板５３Ｇで遮光される。黄成分光Ｙｅを入射側偏光板５２Ｇで遮光しても、映像に与える影響が小さいことに留意すべきである。
【０１３２】
ここで、ケース（３）において、黄成分光Ｙｅの重畳量が減少するように黄出力信号Ｙｅｏｕｔを補正する場合には、必ずしもモードＡで可動式ダンパー３０１を制御する必要がない。例えば、ケース（４）においてモードＡで可動式ダンパー３０１を制御し、ケース（３）においてモードＢで可動式ダンパー３０１を制御してもよい。
【０１３３】
（作用及び効果）
変更例１では、冷却能力制御部２４０は、黄出力信号Ｙｅｏｕｔに基づいて、可動式ダンパー３０１を制御する。従って、赤成分光Ｒ、緑成分光Ｇ及び青成分光Ｂに加えて、黄成分光Ｙｅを利用する場合であっても、液晶パネル５０Ｇ、入射側偏光板５２Ｇ（又は、入射側プリ偏光板５２ＧＰ）及び出射側偏光板５３Ｇの劣化を効率的に抑制することができる。
【０１３４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３５】
例えば、光変調素子の一例として、透過型の液晶パネル５０について説明したが、光変調素子は、これに限定されるものではない。光変調素子は、反射型の液晶パネルやＤＭＤ（Ｄｉｇｉｔａｌ  Ｍｉｃｒｏｍｉｒｒｏｒ  Ｄｅｖｉｃｅ）であってもよい。
【符号の説明】
【０１３６】
１０・・・光源、２０・・・ＵＶ／ＩＲカットフィルタ、３０・・・フライアイレンズユニット、４０・・・ＰＢＳアレイ、５０・・・液晶パネル、５１・・・偏光状態調整素子、５２、５３・・・偏光板、６０・・・クロスダイクロイックキューブ、７１〜７６・・・ミラー、８１〜８５・・・レンズ、１００・・・投写型映像表示装置、１１０・・・投写レンズユニット、１２０・・・照明ユニット、２００・・・制御ユニット、２１０・・・映像信号受付部、２２０・・・Ｙｅ重畳量算出部、２３０・・・ＲＧＢ補正部、２４０・・・冷却能力制御部、３００，３１０，３２０・・・送風部
【図１】
2010175675.tif 000003
【図２】
2010175675.tif 000004
【図３】
2010175675.tif 000005
【図４】
2010175675.tif 000006
【図５】
2010175675.tif 000007
【図６】
2010175675.tif 000008
【図７】
2010175675.tif 000009
【図８】
2010175675.tif 000010
【図９】
2010175675.tif 000011
【図１０】
2010175675.tif 000012
【図１１】
2010175675.tif 000013